(57)【要約】      （修正有）【課題】簡単な構造でありながら、光ピックアップのガイドシャフトにたわみが発生しないチルト調整機構とそれを備えた光ディスク装置を提供する。【解決手段】チルト調整機構７は、光ピックアップの移動をガイドする２本のガイドシャフト２をドライブシャーシ３上で支持し、ガイドシャフト２の傾き調整により光ディスクに対する光ピックアップの傾きを調整する。チルト調整機構７は、ガイドシャフト２の端部に取り付けられたホルダ１と、ホルダ１をドライブシャーシ３にネジ構造で固定する調整用ネジ５と、ドライブシャーシ３とホルダ１との間でネジ構造のガタを無くすためのスプリング４と、を有する。ネジ構造は、ドライブシャーシ３と結合する第１ネジ部５ａと、ホルダ１と結合する第２ネジ部５ｂと、で構成され、第１ネジ部５ａのピッチは第２ネジ部５ｂのピッチよりも大きく、第２ネジ部５ｂの呼び径は第１ネジ部５ａの呼び径よりも小さい。【選択図】図２
2008097686.tif 000002
【特許請求の範囲】
【請求項１】
光ピックアップの両側でディスク径方向への移動をガイドする２本のガイドシャフトをドライブシャーシ上で支持し、前記ガイドシャフトの傾き調整により光ディスクに対する光ピックアップの傾きを調整するチルト調整機構を有する光ディスク装置であって、
前記チルト調整機構が、前記ガイドシャフトの端部に取り付けられたホルダと、そのホルダを前記ドライブシャーシにネジ構造で固定する調整用ネジと、前記ドライブシャーシと前記ホルダとの間で前記ネジ構造のガタを無くすためのスプリングと、を有し、前記ネジ構造が、前記ドライブシャーシと結合する第１ネジ部と、前記ホルダと結合する第２ネジ部と、で構成され、前記第１ネジ部のピッチが前記第２ネジ部のピッチよりも大きく、前記第２ネジ部の呼び径が前記第１ネジ部の呼び径よりも小さいことを特徴とする光ディスク装置。
【請求項２】
光ピックアップの移動をガイドするガイドシャフトをドライブシャーシ上で支持し、前記ガイドシャフトの傾き調整により光ディスクに対する光ピックアップの傾きを調整するチルト調整機構であって、前記ガイドシャフトの端部に取り付けられたホルダと、そのホルダを前記ドライブシャーシにネジ構造で固定する調整用ネジと、を有することを特徴とするチルト調整機構。
【請求項３】
前記ドライブシャーシと前記ホルダとの間に、前記ネジ構造のガタを無くすためのスプリングを有することを特徴とする請求項２記載のチルト調整機構。
【請求項４】
前記ネジ構造が、前記ドライブシャーシと結合する第１ネジ部と、前記ホルダと結合する第２ネジ部と、で構成されることを特徴とする請求項２又は３記載のチルト調整機構。
【請求項５】
前記第１ネジ部と前記第２ネジ部とでピッチが異なることを特徴とする請求項４記載のチルト調整機構。
【請求項６】
前記第１ネジ部と前記第２ネジ部とでねじれ方向が逆であることを特徴とする請求項４又は５記載のチルト調整機構。
【請求項７】
前記第２ネジ部の呼び径が前記第１ネジ部の呼び径よりも小さいことを特徴とする請求項４〜６のいずれか１項に記載のチルト調整機構。
【請求項８】
請求項２〜７のいずれか１項に記載のチルト調整機構を有することを特徴とする光ディスク装置。
【発明の詳細な説明】
【技術分野】
【０００１】
本発明は光ピックアップのチルト調整機構に関するものであり、例えば、ＤＶＤ(Digital Versatile Disk)やＢＤ(青色レーザビームを用いる高密度光ディスク)等の光ディスクに対応した光ディスク装置において、光ピックアップの傾きを調整するためのチルト調整機構に関するものである。
【背景技術】
【０００２】
光ディスク装置におけるディスク径方向への光ピックアップの移動は、ガイドシャフトによってガイドされる。このため、ガイドシャフトに傾きがあると、光ピックアップにも傾きが生じその光学性能は低下してしまう。この問題を解決するため、ガイドシャフトの傾き調整により光ピックアップのチルト調整を行う技術が従来より提案されている(例えば、特許文献１〜３等参照。)。しかし、従来より提案されているチルト調整機構はいずれも構造が複雑であり、光ディスク装置に搭載する際の組み立てが難しい等の問題がある。こういった問題を、一従来例を挙げて以下に説明する。
【０００３】
図５に、従来より知られているチルト調整機構の一例を示す。光ピックアップ(不図示)はガイドシャフト２に取り付けられており、ガイドシャフト２の端部にはスプリング１４が取り付けられている。ドライブシャーシ３には調整用ネジ１５が取り付けられており、調整用ネジ１５の先端部がガイドシャフト２の端部に対し下側から接するように位置している。スプリング１４はドライブシャーシ３側に向けてガイドシャフト２を押し下げるように付勢しているので、調整用ネジ１５を回転させると、ガイドシャフト２の端部は調整用ネジ１５の先端部との接触状態を保ちながら押し上げられ又は押し下げられる。そのガイドシャフト２の端部の押し上げ又は押し下げにより、ガイドシャフト２の傾きを変化させることができるので、光ピックアップのチルト調整が可能となる。
【特許文献１】特開２００１−２２９５４８号公報
【特許文献２】特開２００１−５２３４５号公報
【特許文献３】実用新案登録第３０８２２１４号公報
【発明の開示】
【発明が解決しようとする課題】
【０００４】
しかし、図５に示すチルト調整機構では、ガイドシャフト２の軸方向において、スプリング１４が上方向からガイドシャフト２に作用する点と、調整用ネジ１５が下方向からガイドシャフト２に作用する点と、に位置のズレがある。このため、組み立てやチルト調整を行う際に、ガイドシャフト２にたわみが生じるという問題がある。ガイドシャフト２にたわみが生じると、光ピックアップの摺動性能が低下し、光ピックアップの傾き度合いがガイドシャフト２上の位置によって異なる等の問題が生じてしまう。
【０００５】
本発明はこのような状況に鑑みてなされたものであって、その目的は、簡単な構造でありながら、光ピックアップの移動をガイドするガイドシャフトにたわみが発生しないチルト調整機構、及びそれを備えた光ディスク装置を提供することにある。
【課題を解決するための手段】
【０００６】
上記目的を達成するために、第１の発明の光ディスク装置は、光ピックアップの両側でディスク径方向への移動をガイドする２本のガイドシャフトをドライブシャーシ上で支持し、前記ガイドシャフトの傾き調整により光ディスクに対する光ピックアップの傾きを調整するチルト調整機構を有する光ディスク装置であって、前記チルト調整機構が、前記ガイドシャフトの端部に取り付けられたホルダと、そのホルダを前記ドライブシャーシにネジ構造で固定する調整用ネジと、前記ドライブシャーシと前記ホルダとの間で前記ネジ構造のガタを無くすためのスプリングと、を有し、前記ネジ構造が、前記ドライブシャーシと結合する第１ネジ部と、前記ホルダと結合する第２ネジ部と、で構成され、前記第１ネジ部のピッチが前記第２ネジ部のピッチよりも大きく、前記第２ネジ部の呼び径が前記第１ネジ部の呼び径よりも小さいことを特徴とする。
【０００７】
第２の発明のチルト調整機構は、光ピックアップの移動をガイドするガイドシャフトをドライブシャーシ上で支持し、前記ガイドシャフトの傾き調整により光ディスクに対する光ピックアップの傾きを調整するチルト調整機構であって、前記ガイドシャフトの端部に取り付けられたホルダと、そのホルダを前記ドライブシャーシにネジ構造で固定する調整用ネジと、を有することを特徴とする。
【０００８】
第３の発明のチルト調整機構は、上記第２の発明において、前記ドライブシャーシと前記ホルダとの間に、前記ネジ構造のガタを無くすためのスプリングを有することを特徴とする。
【０００９】
第４の発明のチルト調整機構は、上記第２又は第３の発明において、前記ネジ構造が、前記ドライブシャーシと結合する第１ネジ部と、前記ホルダと結合する第２ネジ部と、で構成されることを特徴とする。
【００１０】
第５の発明のチルト調整機構は、上記第４の発明において、前記第１ネジ部と前記第２ネジ部とでピッチが異なることを特徴とする。
【００１１】
第６の発明のチルト調整機構は、上記第４又は第５の発明において、前記第１ネジ部と前記第２ネジ部とでねじれ方向が逆であることを特徴とする。
【００１２】
第７の発明のチルト調整機構は、上記第４〜第６のいずれか１つの発明において、前記第２ネジ部の呼び径が前記第１ネジ部の呼び径よりも小さいことを特徴とする。
【００１３】
第８の発明の光ディスク装置は、上記第２〜第７のいずれか１つの発明に係るチルト調整機構を有することを特徴とする。
【発明の効果】
【００１４】
本発明に係るチルト調整機構は、ガイドシャフトの端部に取り付けられたホルダをドライブシャーシにネジ構造で固定した構成になっているので、ガイドシャフトに対して上方から押さえる方向に作用する力は存在しない。したがって、簡単な構造のチルト調整機構でありながら、光ピックアップの移動をガイドするガイドシャフトにたわみを発生させることはない。結果として、光ピックアップの摺動性能向上により、高い光学性能を得ることが可能となる。また、ドライブシャーシとホルダとの間に、ネジ構造のガタを無くすためのスプリングを設ければ、円滑で安定したチルト調整を行うことが可能となる。
【００１５】
調整用ネジのネジ構造を、ドライブシャーシと結合する第１ネジ部と、ホルダと結合する第２ネジ部と、で構成すれば、チルト調整の精度を変えることができる。例えば、第１ネジ部と第２ネジ部とで異なったピッチにしたりねじれ方向を逆にしたりすれば、ネジの送り量の変化により微調整や粗調整が可能となる。また、第２ネジ部の呼び径を第１ネジ部の呼び径よりも小さくすれば、ドライブシャーシに対する調整用ネジの取り付けを容易にすることが可能となる。
【発明を実施するための最良の形態】
【００１６】
以下、本発明に係る光ピックアップのチルト調整機構及び光ディスク装置の実施の形態等を、図面を参照しつつ説明する。図１にチルト調整機構７の外観を示し、図２にチルト調整機構７の内部構造を示す。図３(Ａ)にチルト調整機構７を構成している調整用ネジ５を示し、図３(Ｂ)にチルト調整機構７に適用される他の具体例としての調整用ネジ６を示す。また、図４にチルト調整機構７を有する光ディスク装置９の概略構成を模式的に示す。
【００１７】
光ディスク装置９は、図４に示すように、各要素が取り付けられるドライブシャーシ３と、対物レンズ８ａを有する光ピックアップ８と、光ピックアップ８の両側でディスク径方向への移動をガイドする２本のガイドシャフト２と、ガイドシャフト２をドライブシャーシ３上で支持し、ガイドシャフト２の傾き調整により光ディスクＤＫに対する光ピックアップ８の傾きを調整するチルト調整機構７と、を有する構成になっている。チルト調整機構７は、図１及び図２に示すように、ガイドシャフト２の端部に取り付けられたホルダ１と、そのホルダ１をドライブシャーシ３にネジ構造で固定する調整用ネジ５と、を有しており、さらに、ドライブシャーシ３とホルダ１との間にはネジ構造のガタを無くすためのスプリング４を有している。
【００１８】
調整用ネジ５のネジ構造は、図２及び図３(Ａ)に示すように、ドライブシャーシ３と結合する第１ネジ部５ａと、ホルダ１と結合する第２ネジ部５ｂと、で構成されている。第２ネジ部５ｂのピッチは第１ネジ部５ａのピッチよりも小さくなっており、また、第２ネジ部５ｂの呼び径は第１ネジ部５ａの呼び径よりも小さくなっている。このため、各ネジ部５ａ，５ｂに対応するように、ドライブシャーシ３には第１ネジ部５ａと結合するためのネジ穴３ａが設けられており、ホルダ１には第２ネジ部５ｂと結合するためのネジ穴１ｂが設けられている。
【００１９】
チルト調整機構７の組み立て方法を説明する。まず、ドライブシャーシ３に調整用ネジ５を取り付ける。このとき、ドライブシャーシ３の裏面側から調整用ネジ５をネジ穴３ａに取り付ける。上述したように第２ネジ部５ｂの呼び径は第１ネジ部５ａの呼び径よりも小さくなっているため、ドライブシャーシ３のネジ穴３ａに第１ネジ部５ａを容易に結合させることができる。次に、ホルダ１の穴１ａにガイドシャフト２の端部を圧入する。ネジ穴１ｂはホルダ１の上面まで貫通しているので、必要に応じてネジ穴１ｂの上方から接着剤を滴下して、接着剤でホルダ１とガイドシャフト２とを高い強度で固定することができる。ついで、ホルダ１に調整用ネジ５を取り付ける。このとき、ドライブシャーシ３とホルダ１との間にスプリング４を挟むようにして、ホルダ１のネジ穴１ｂに第２ネジ部５ｂを結合させる。上述したようにスプリング４の付勢力がネジ構造のガタを無くすように作用するため、円滑で安定したチルト調整を行うことが可能となる。
【００２０】
上記のようにチルト調整機構７は、ガイドシャフト２の端部に取り付けられたホルダ１をドライブシャーシ３にネジ構造で固定した構成になっているので、ガイドシャフト２に対して上方から押さえる方向に作用する力は存在しない。つまり、ガイドシャフト２と調整用ネジ５の両方がホルダ１に取り付けられた構造では、ガイドシャフト２にたわみを生じさせる付勢力がかからない。したがって、製造が容易で簡単な構造でありながら、光ピックアップ８の移動をガイドするガイドシャフト２にたわみを発生させることがない。結果として、光ピックアップ８の摺動性能向上により、高い光学性能を得ることが可能となる。なお、一般的な光ディスク装置では、ガイドシャフト２の支点間隔が１０ｃｍ程度、チルト調整に必要な(ガイドシャフト２の)上下の動きが０．４ｍｍ程度であるため、チルト調整時にガイドシャフト２が傾くための隙間は、ネジ構造の呼び径の遊び分で許容可能である。
【００２１】
次に、チルト調整方法を説明する。図４に示す光ディスク装置９において、情報の記録／再生を行う光ピックアップ８は対物レンズ８ａからレーザビームを射出する。そのレーザビームが光ディスクＤＫの記録面に対して垂直に近い角度で入射するほど、高い精度で情報の記録／再生を行うことが可能となる。２本のガイドシャフト２は、光ピックアップ８をその両側で支持してディスク径方向への移動をガイドする構成になっているため、ガイドシャフト２の傾きを調整することにより光ディスクＤＫに対する光ピックアップ８の傾きを調整することができる。その光ピックアップ８の傾き調整を行うのがチルト調整機構７であり、光ピックアップ８の傾き調整により、対物レンズ８ａから射出したレーザビームを光ディスクＤＫに対して垂直に照射することができる。なお、図４に示す光ディスク装置９では各ガイドシャフト２の両端にチルト調整機構７が設けられており、合計４つのチルト調整機構７で光ピックアップ８の傾き調整を行う構成になっているが、場合によってはそのうちの１つを省略して、合計３つのチルト調整機構７で傾き調整を行う構成としてもよい。
【００２２】
チルト調整機構７は、各ガイドシャフト２をその端部に取り付けられたホルダ１で支持しているので、ホルダ１を上方向又は下方向に移動させれば、ガイドシャフト２の傾き状態が変化する。したがって、ホルダ１の上下移動により光ピックアップ８の傾き調整を行うことが可能である。ホルダ１の上方向又は下方向への移動は、調整用ネジ５の回転により行われる。ただし、第１ネジ部５ａと第２ネジ部５ｂとでピッチが異なれば、調整用ネジ５の送り量とホルダ１の上下移動との関係も異なる。つまり、調整用ネジ５の送り量とは異なった送り量をホルダ１に与えることが可能である。
【００２３】
例えば、右ネジの調整用ネジ５がドライブシャーシ３に対して上方向に移動する場合を想定すると、第１ネジ部５ａのピッチと第２ネジ部５ｂのピッチとが同じであれば、ドライブシャーシ３に対してホルダ１の位置は固定であり、第１ネジ部５ａのピッチと第２ネジ部５ｂのピッチとが異なれば、第１ネジ部５ａと第２ネジ部５ｂとのピッチの差の分だけホルダ１がドライブシャーシ３に対して移動することになる。したがって、第１ネジ部５ａのピッチよりも第２ネジ部５ｂのピッチの方が小さいほど、ドライブシャーシ３に対してホルダ１が上方向に大きく移動し、第１ネジ部５ａのピッチよりも第２ネジ部５ｂのピッチの方が大きいほど、ドライブシャーシ３に対してホルダ１が下方向に大きく移動することになる。このように調整用ネジ５のピッチを各結合部で変化させれば、容易にチルト調整可能範囲を調節することが可能である。
【００２４】
調整用ネジ５のネジ構造は、図２及び図３(Ａ)に示すように、第２ネジ部５ｂのピッチが第１ネジ部５ａのピッチよりも小さくなっている。このため、右ネジの調整用ネジ５がドライブシャーシ３に対して上方向に移動する場合、ドライブシャーシ３に対してホルダ１は上方向に移動することになる。そして、第１ネジ部５ａと第２ネジ部５ｂのピッチの差を小さく設定すれば、ガイドシャフト２の傾きを微調整する効果を得ることができ、ピッチの差を大きく設定すれば、調整用ネジ５の少ない回転でガイドシャフト２の傾きを大きく変化させることができる。
【００２５】
図３(Ｂ)に示す調整用ネジ６は、第１ネジ部６ａと第２ネジ部６ｂとでねじれ方向が逆になっている。このように、ネジ部６ａのねじれ方向とネジ部６ｂのねじれ方向とが異なったネジ構造をチルト調整機構７に用いれば、調整用ネジ６の送り量よりも大きな送り量をホルダ１に与えることができる。つまり、調整用ネジ６の少ない回転でもホルダ１には大きな送り量が得られるため、ガイドシャフト２の傾きを大きく変化させることができる。
【００２６】
例えば、調整用ネジ６の第１ネジ部６ａが右ネジの場合を想定すると、調整用ネジ６がドライブシャーシ３に対して上方向に移動する場合、ドライブシャーシ３とホルダ１との間隔が増大し、調整用ネジ５がドライブシャーシ３に対して下方向に移動する場合、ドライブシャーシ３とホルダ１との間隔が減少する。第１ネジ部６ａのピッチと第２ネジ部６ｂのピッチとが同じであれば、いずれの場合も調整用ネジ６の移動量よりもホルダ１の移動量の方が大きくなる。ただし、第１ネジ部６ａと第２ネジ部６ｂとのピッチの差を所定の大きさに設定すれば、ガイドシャフト２の傾きを微調整したり調整用ネジ６の少ない回転でガイドシャフト２の傾きを大きく変化させることが可能である。
【００２７】
上記のように調整用ネジ５，６のネジ構造を、ドライブシャーシ３と結合する第１ネジ部５ａ，６ａと、ホルダ１と結合する第２ネジ部５ｂ，６ｂと、で構成すれば、チルト調整の精度を変えることができる。例えば、図３(Ａ)に示すように第１ネジ部５ａと第２ネジ部５ｂとで異なったピッチにしたり、図３(Ｂ)に示すように第１ネジ部６ａと第２ネジ部６ｂとでねじれ方向を逆にしたりすれば、ネジの送り量の変化により微調整や粗調整が可能となる。また、第２ネジ部５ｂ，６ｂの呼び径を第１ネジ部５ａ，６ａの呼び径よりも小さくすれば、ドライブシャーシ３に対する調整用ネジ５，６の取り付けを容易にすることが可能となる。
【図面の簡単な説明】
【００２８】
【図１】チルト調整機構の一実施の形態を示す斜視図。
【図２】図１のチルト調整機構を示す断面図。
【図３】図１のチルト調整機構を構成する調整用ネジの具体例を示す斜視図。
【図４】図１のチルト調整機構を有する光ディスク装置の概略構成例を示す平面図。
【図５】チルト調整機構の従来例を示す斜視図。
【符号の説明】
【００２９】
１    ホルダ
２    ガイドシャフト
３    ドライブシャーシ
４    スプリング
５，６    調整用ネジ
７    チルト調整機構
８    光ピックアップ
９    光ディスク装置
【図１】
2008097686.tif 000003
【図２】
2008097686.tif 000004
【図３】
2008097686.tif 000005
【図４】
2008097686.tif 000006
【図５】
2008097686.tif 000007